(57)【特許請求の範囲】
【請求項１】
紙葉類の状態を複数の観点から検知する検知手段と、
この検知手段によって検知された前記紙葉類の状態に基づいて排除すべき紙葉類を判定する排除紙判定手段と、
この排除紙判定手段によって判定された排除すべき紙葉類にかかわる排除要因を判定する排除要因判定手段と、
前記排除紙判定手段によって排除すべき紙葉類が判定される度に、前記排除要因判定手段によって判定された排除要因を表示する排除要因表示手段と、
前記排除要因判定手段による排除要因ごとの判定回数の累計を管理する排除要因累計管理手段と、
前記排除紙判定手段によって排除すべき紙葉類が判定される度に、前記排除要因累計管理手段に管理されている最新の前記排除要因ごとの判定回数の累計を表示する排除要因累計表示手段と、
前記排除要因判定手段によって判定された排除要因表示、または前記排除要因累計管理手段に管理されている最新の前記排除要因ごとの判定回数の累計表示の選択指示に基づいて、前記排除要因表示手段と前記排除要因累計表示手段のいずれかによる表示を選択する表示選択手段とを具備することを特徴とする紙葉類処理システム。
【請求項２】
複数の検知装置により紙葉類の状態をそれぞれ異なる観点から検知し、これら検知装置の検知結果に基づいて排除すべき紙葉類を判定するステップと、
この判定された排除すべき紙葉類にかかわる排除要因を判定するステップと、
前記排除すべき紙葉類が判定される度に、排除要因表示手段が、該紙葉類にかかわる前記判定された排除要因を表示するステップと、
前記判定された排除すべき紙葉類にかかわる排除要因ごとの判定回数の累計を求めるステップと、
前記排除すべき紙葉類が判定される度に、排除要因累計表示手段が、前記求められた排除要因ごとの判定回数の累計を表示するステップと、
前記紙葉類にかかわる前記判定された排除要因表示、または前記求められた排除要因ごとの判定回数の累計表示の選択指示に基づいて、前記排除要因表示手段と前記排除要因累計表示手段のいずれかによる表示を選択するステップとを有することを特徴とする紙葉類処理システムの排除要因表示方法。
【発明の詳細な説明】
【０００１】
【発明の属する技術分野】
本発明は、銀行券自動鑑査機などの紙葉類処理システムとその排除要因表示方法に関するものである。
【０００２】
【従来の技術】
銀行券自動鑑査機などの紙葉類処理システムでは、券の形状（長さ、幅、厚さ、欠損など）、印刷パターン、磁気帯びなど、異なる観点から券の状態を検知する複数の検知装置の出力に基づき、鑑査対象である券が再流通可能な券（正券）であるか、再流通不可能な券（損券）であるか、排除券（偽券、または検知判定不可能な券）であるかを識別し、たとえば損券や排除券を裁断・廃棄することを行っている。
【０００３】
また、このような紙葉類処理システムでは、排除券が判定される度に、その排除券にかかわる排除要因を判定し、鑑査を行った券の累計や排除券の累計とともに、排除要因ごとの判定回数の累計を管理している。これらの情報は、たとえば係員からの出力要求によりプリンタ等を通して可視化することが可能であり、バッチ単位の累計として出力されるようになっている。
【０００４】
なお、排除要因とは、排除券がどの検知方法（検知装置）によって排除すべき券として判別されたものかを示すものである。たとえば、券の長さが検知装置で異常と判断された場合には、排除要因は券の長さである、ということになる。
【０００５】
【発明が解決しようとする課題】
このように、従来の紙葉類処理システムは、排除要因をバッチ単位の累計としてしか出力できず、このため紙葉類が排除された時点でその排除要因を確認したり、排除された一枚一枚の紙葉類の排除要因を確認するようなことはできなかった。
【０００６】
本発明はかかる課題を解決するためになされたもので、紙葉類が排除された時点でその排除要因を確認できるとともに、排除された一枚一枚の紙葉類の排除要因を確認することのできる紙葉類処理システムとその排除要因表示方法の提供を目的とする。
【０００７】
さらに、本発明は、紙葉類が排除される度に、排除要因ごとの判定回数の累計を確認することのできる紙葉類処理システムとその排除要因表示方法の提供を目的とする。
【０００８】
【課題を解決するための手段】
上記した目的を達成するために、本発明に係る紙葉類処理システムは、紙葉類の状態を複数の観点から検知する検知手段と、この検知手段によって検知された前記紙葉類の状態に基づいて排除すべき紙葉類を判定する排除紙判定手段と、この排除紙判定手段によって判定された排除すべき紙葉類にかかわる排除要因を判定する排除要因判定手段と、前記排除紙判定手段によって排除すべき紙葉類が判定される度に、前記排除要因判定手段によって判定された排除要因を表示する排除要因表示手段と、前記排除要因判定手段による排除要因ごとの判定回数の累計を管理する排除要因累計管理手段と、前記排除紙判定手段によって排除すべき紙葉類が判定される度に、前記排除要因累計管理手段に管理されている最新の前記排除要因ごとの判定回数の累計を表示する排除要因累計表示手段と、前記排除要因判定手段によって判定された排除要因表示、または前記排除要因累計管理手段に管理されている最新の前記排除要因ごとの判定回数の累計表示の選択指示に基づいて、前記排除要因表示手段と前記排除要因累計表示手段のいずれかによる表示を選択する表示選択手段とを具備する。
【００１０】
また、本発明に係る紙葉類処理システムの排除要因表示方法は、複数の検知装置により紙葉類の状態をそれぞれ異なる観点から検知し、これら検知装置の検知結果に基づいて排除すべき紙葉類を判定するステップと、この判定された排除すべき紙葉類にかかわる排除要因を判定するステップと、前記排除すべき紙葉類が判定される度に、排除要因表示手段が、該紙葉類にかかわる前記判定された排除要因を表示するステップと、前記判定された排除すべき紙葉類にかかわる排除要因ごとの判定回数の累計を求めるステップと、前記排除すべき紙葉類が判定される度に、排除要因累計表示手段が、前記求められた排除要因ごとの判定回数の累計を表示するステップと、前記紙葉類にかかわる前記判定された排除要因表示、または前記求められた排除要因ごとの判定回数の累計表示の選択指示に基づいて、前記排除要因表示手段と前記排除要因累計表示手段のいずれかによる表示を選択するステップとを有する。
【００１１】
上記の構成を有することにより、本発明によれば、紙葉類が排除される度に、その排除要因を表示画面を通して係員が確認することができるとともに、表示選択により排除された一枚一枚の紙葉類の排除要因の確認、または排除要因ごとの判定回数の現時点までの累計の確認ができる。
【００１２】
【発明の実施の形態】
以下、本発明の実施の形態を図示例と共に説明する。
図１は本実施形態にかかる銀行券自動鑑査機を示す外観斜視図で、図２はその内部構成図である。
【００１３】
この銀行券自動鑑査機は、紙葉類としての銀行券（以下、券という）を各種の検知装置にて再流通可能な券（正券）と、再流通不可能な券（損券）と、排除券（偽券、または検知判定不可能な券）に分類する装置である。
【００１４】
図中１は鑑査機本体で、この鑑査機本体１の一側部には所定枚数の券をセットする供給装置２が設けられている。鑑査機本体１内には供給装置２から１枚ずつ取り出される券を搬送路３ａに沿って搬送する搬送機構３が設けられている。
【００１５】
鑑査機本体１内には、搬送される券の形状（長さ、幅、厚さ、欠損など）、印刷パターン、磁気帯びなど、それぞれ異なる観点から券の状態を検知する複数の検知装置を備えた検知ユニット４と、この検知ユニット４を通過した券を正券、損券、排除券に分けてそれぞれ所定枚数（たとえば１００枚）ずつ集積する正券集積部５、損券集積部６および排除券集積部７が配設されている。
【００１６】
正券集積部５、損券集積部６、排除券集積部７の前方には、これら集積部５，６，７から送られてくる所定枚数（たとえば１００枚単位）の券（１把）に帯を巻いて施封する施封装置８がそれぞれ設けられている。施封装置８には施封把を機外へ排出するためのプッシャー（図示しない）が設けられており、鑑査機本体１の前面側にはプッシャーにより機外へ排出されてくる施封把を受ける取出ボックス９が配設されている。
【００１７】
この銀行券自動鑑査機の動作を説明すると、供給装置２にセットされた券は１枚ずつ搬送路３ａへ供給される。搬送路３ａへ供給された券は検知ユニット４内の各検知装置にて、形状（長さ、幅、厚さ、欠損など）、印刷パターン、磁気帯びなどの券の状態についての検知がなされる。
【００１８】
しかして、各検知装置の検知情報に基づいて、正券／損券／排除券の判定が下され、この判定結果を基に正券と判定された券は正券集積部５へ、損券と判定された券は損券集積部６へ、排除券と判定された券は排除券集積部７へ各々分配される。
【００１９】
また、鑑査機本体１内には、前記各装置と通信して銀行券自動鑑査にかかるジョブの実行を制御するメイン制御装置（後述する）が組み込まれている。このメイン制御装置は、これに実装されたファームウェアにより、たとえば、検知ユニット４の各検知装置からの出力に基づいて前述した正券／損券／排除券の判定を行い、この判定結果に基づいて正券集積部５、損券集積部６、排除券集積部７への券の分配を制御したり、銀行券自動鑑査機の保守管理のための処理を行う。
【００２０】
図３は、かかる銀行券自動鑑査機の保守支援システムの構成を示すブロック図である。
同図に示すように、この保守支援システムは、鑑査機本体１内の前記のメイン制御装置１０と、これと通信する操作・保守端末２０とで構成される。
【００２１】
メイン制御装置１０は、銀行券自動鑑査機の保守支援を行う機能部として、検知ユニット４の各検知装置からの出力に基づいて排除券の判定を行う排除券判定部１１と、この排除券判定部１１によって判定された排除券の排除要因を判定する排除要因判定部１２と、鑑査を行った券の累計、排除券の累計、排除要因ごとの判定回数の累計を計数情報として管理する計数情報管理部１３と、排除券が一枚判定される度にその排除券にかかわるすべての排除要因を排除要因判定部１２より取得するとともに、前記計数情報管理部１３が保持している最新の計数情報を取得し、これらを操作・保守端末２０に送信する排除要因・計数情報送信部１４と、鑑査機本体１内でジャムが検出された場合にジャム通知を割り込みで操作・保守端末２０に送信するジャム情報送信部１５とを備えている。
【００２２】
なお、計数情報管理部１３に保持された計数情報は、券の鑑査が一枚終了するごとに最新の値へ更新されるようになっている。
【００２３】
一方、操作・保守端末２０は、たとえばパーソナルコンピュータ等のコンピュータシステムで構成され、周辺機器として操作員に各種情報を視覚的に提供するためのＣＲＴ、液晶ディスプレイ等の表示装置２１と、操作員からの各種情報の入力を受け入れるキーボード等の入力装置２２とを備えている。
【００２４】
操作・保守端末２０は、メイン制御装置１０との通信により銀行券自動鑑査機の保守支援のための機能部として、鑑査機本体１内のメイン制御装置１０より送信された排除要因および計数情報を受信する排除要因・計数情報受信部２３と、ジャム情報を受信するジャム情報受信部２４と、排除要因・計数情報受信部２３およびジャム情報受信部２４により受信した排除要因、計数情報、ジャム情報を表示装置２１に表示させる処理を行う表示処理部２５とを備えている。
【００２５】
次に、この銀行券自動鑑査機の保守支援システムの動作を説明する。図４は排除要因表示処理にかかるメイン制御装置１０の手順、図５は同じく排除要因表示処理にかかる操作・保守端末２０の手順である。
【００２６】
メイン制御装置１０の排除券判定部１１において排除券が判定されると（ステップ４０１）、排除要因判定部１２によって当該排除券にかかわる排除要因の判定が行われる（ステップ４０２）。計数情報管理部１３は、鑑査を行った券の累計、排除券の累計を管理するとともに、排除要因判定部１２によって排除要因が判定された場合にはその排除要因の判定回数の値に１を加算する（ステップ４０３）。
【００２７】
一方、排除要因・計数情報送信部１４は、排除券判定部１１において排除券が一枚判定される度に、その排除券にかかわるすべての排除要因を排除要因判定部１２より取得するとともに計数情報管理部１３から現時点の計数情報を取得し、これらを操作・保守端末２０に送信する（ステップ４０４）。また、鑑査機本体１内でジャムが検出された場合には、割り込みにより、ジャム通知を操作・保守端末２０に送信する。
【００２８】
操作・保守端末２０は排除要因・計数情報受信部２３にてこれらの情報を受信すると（ステップ５０１）、以下の手順を実行する。
【００２９】
操作・保守端末２０は２つの表示モードを備えており、係員は目的に応じて任意の表示モードを入力装置２２を用いて選択することができる。ここで、２つの表示モードの一方を「累計表示モード」、他方を「単枚表示モード」と呼ぶ。
【００３０】
図６ないし図８は排除要因表示画面の例である。
図６に示すように、表示モードに拘わらず、操作・保守端末２０の表示画面には、常に、メイン制御装置１０から最後に送られてきた計数情報のうちの、鑑査を行った券の累計（符号６１で示す）、排除券の累計（符号６２で示す）が画面上部に表示されている。画面中段の符号６３で示す領域は排除要因に関する情報が表示される排除要因表示領域である。
【００３１】
累計表示モードでは、図７に示すように、前記の排除要因表示領域６３に、メイン制御装置１０から最後に送られてきた計数情報のうちの、排除要因毎の判定回数の累計が表示される（ステップ５０３）。
【００３２】
一方、単枚表示モードでは、図８に示すように、排除要因表示領域６３に、メイン制御装置１０から最後に送られてきた、一枚の排除券にかかわる排除要因が表示される（ステップ５０４）。図の例では、券の長さと幅のチェックで異常が検知され、これが当該排除券の排除要因として検出されている。
【００３３】
すなわち、累計表示モードでは、排除券が一枚発生する度に、排除要因表示領域６３内の少なくとも一種以上の排除要因の回数の値が１ずつ加算されて行く様子が表示され、単枚表示モードでは、排除券が一枚発生する度に、その排除券にかかわる排除要因だけが次の排除券が発生するまでの間表示される。
【００３４】
また、各表示モードの画面には、ジャム発生時にメイン制御装置１０から送られてくるジャム情報が表示されるジャム情報表示領域６４も設けられている。
【００３５】
以上により本実施形態の銀行券自動鑑査機の保守支援システムによれば、排除券が発生した時点でその排除券にかかわる排除要因を表示画面を通して係員が確認することができるとともに、一枚一枚の排除券の排除要因を係員が確認することができる。また、表示モードの切り替えにより、排除券が発生する度に、排除要因毎の実際に排除要因として判定された現時点までの回数を表示画面を通して係員が確認することができる。
【００３６】
前記実施の形態では、銀行券自動鑑査機を保守対象とした保守支援システムについて述べたが、本発明はこれに限定されるものではなく、銀行券以外の紙葉類の鑑査を行う装置を保守対象とした保守支援システムにも適用できることは言うまでもない。
【００３７】
この実施の形態では、券を再流通可能な券（正券）と、再流通不可能な券（損券）と、排除券（偽券、または検知判定不可能な券）に分類する銀行券自動鑑査機に本発明を適用し、その中の排除券の排除要因を表示する方式について説明したが、損券についても同様に、その損券となった要因を前述の方式で表示するようにしてもよい。
【００３８】
【発明の効果】
以上、説明したように本発明によれば、紙葉類が排除された時点でその排除要因を表示画面を通して係員が確認することができるとともに、排除された一枚一枚の紙葉類の排除要因を確認することができる。また、紙葉類が排除される度に、排除要因ごとの判定回数の現時点までの累計を確認することができる。
【図面の簡単な説明】
【図１】本発明にかかる銀行券自動鑑査機を示す外観斜視図である。
【図２】図１の銀行券自動鑑査機の内部構成図である。
【図３】本発明にかかる銀行券自動鑑査機の保守支援システムの構成を示すブロック図である。
【図４】排除要因表示処理にかかるメイン制御装置の手順を示すフローチャートである。
【図５】排除要因表示処理にかかる操作・保守端末の手順を示すフローチャートである。
【図６】排除要因表示画面の通常画面である。
【図７】累計表示モード時の排除要因表示画面である。
【図８】単枚表示モード時の排除要因表示画面である。
【符号の説明】
１・・・・鑑査機本体      ４・・・・検知ユニット        １０・・・・メイン制御装置        １１・・・・排除券判定部        １２・・・・排除要因判定部        １３・・・・計数情報管理部        １４・・・・排除要因・計数情報送信部        １５・・・・ジャム情報送信部        ２０・・・・操作・保守端末        ２１・・・・表示装置２２・・・・入力装置        ２３・・・・排除要因・計数情報受信部        ２５・・・・表示処理部
【図１】
0004728477.tif 000002
【図２】
0004728477.tif 000003
【図３】
0004728477.tif 000004
【図４】
0004728477.tif 000005
【図５】
0004728477.tif 000006
【図６】
0004728477.tif 000007
【図７】
0004728477.tif 000008
【図８】
0004728477.tif 000009